(57)【要約】【課題】  ユーザがデジタル放送以外のメディアを視聴中でも、デジタル放送の文字スーパーを監視して、速報情報をユーザに通知することのできるデジタル放送受信装置、文字スーパー表示方法及び文字スーパー表示プログラムを提供する。【解決手段】  デジタル放送受信装置１００は、デジタル放送の文字スーパーを常時監視する文字スーパー監視部７、受信した文字スーパーを現在視聴中の映像に重畳して出力可能な映像出力部１０、文字スーパーを音声により出力可能な音声出力部１１、文字スーパーをＯＳＤ表示により表示するＯＳＤ出力部１２を備え、文字スーパー監視部７は、デジタル放送以外のメディアを視聴中でも、デジタル放送の文字スーパーを監視し、デジタル放送で文字スーパーが放送された時に、現在視聴中の映像に重畳して又はＯＳＤ表示により、あるいは音声によりユーザに通知する。【選択図】  図１
2005341200.tif 000002
【特許請求の範囲】
【請求項１】
デジタル放送の文字スーパーを受信可能なデジタル放送受信装置において、
デジタル放送の文字スーパーを監視する文字スーパー監視手段を備えることを特徴とするデジタル放送受信装置。
【請求項２】
デジタル放送の文字スーパーを受信可能なデジタル放送受信装置において、
デジタル放送の文字スーパーを監視する文字スーパー監視手段と、
前記監視により文字スーパーを受信したことをユーザに通知する通知手段と
を備えることを特徴とするデジタル放送受信装置。
【請求項３】
前記文字スーパー監視手段は、デジタル放送以外の入力を選択中にデジタル放送の文字スーパーを監視することを特徴とする請求項１又は２に記載のデジタル放送受信装置。
【請求項４】
前記文字スーパー監視手段は、デジタル放送以外の入力が選択されると、自動的にデジタル放送の文字スーパーを監視することを特徴とする請求項１乃至３のいずれか一項に記載のデジタル放送受信装置。
【請求項５】
デジタル放送の文字スーパーを監視するチャンネルを指定可能であることを特徴とする請求項１乃至４のいずれか一項に記載のデジタル放送受信装置。
【請求項６】
デジタル放送の文字スーパーを監視する機能を停止可能であることを特徴とする請求項１乃至５のいずれか一項に記載のデジタル放送受信装置。
【請求項７】
前記通知手段は、受信した前記文字スーパーを視聴中の映像に重畳することにより通知することを特徴とする請求項２記載のデジタル放送受信装置。
【請求項８】
前記通知手段は、受信した文字スーパーをＯＳＤ表示することにより通知することを特徴とする請求項２又は７に記載のデジタル放送受信装置。
【請求項９】
前記通知手段は、受信した文字スーパーを音声により通知することを特徴とする請求項２、７又は８のいずれか一項に記載のデジタル放送受信装置。
【請求項１０】
デジタル放送以外のアナログ放送、コンポーネント信号の映像、又はコンポジット信号の映像を入力する入力手段をさらに備え、
前記文字スーパー監視手段は、デジタル放送以外の入力を選択中においてもデジタル放送の文字スーパーを監視することを特徴とする請求項１乃至９のいずれか一項に記載のデジタル放送受信装置。
【請求項１１】
デジタル放送受信装置の文字スーパー表示方法であって、
デジタル放送以外の入力を選択中においてもデジタル放送の文字スーパーを監視するステップと、
前記監視により文字スーパーを受信したことをユーザに通知するステップと
を有することを特徴とする文字スーパー表示方法。
【請求項１２】
デジタル放送受信装置の文字スーパー表示方法であって、デジタル放送以外の入力を選択中においてもデジタル放送の文字スーパーを監視するステップと、前記監視により文字スーパーを受信したことをユーザに通知するステップとをコンピュータに実行させるためのプログラム。
【発明の詳細な説明】
【技術分野】
【０００１】
本発明は、デジタル放送を受信するデジタル放送受信装置、文字スーパー表示方法及び文字スーパー表示プログラムに関する。
【背景技術】
【０００２】
テレビ番組の視聴中に、警告音とともに映像の上部に地震やニュースの情報が表示される場合がある。これらの情報は主に速報などと呼ばれており、放送局が速報性の高い情報を視聴者に素早く伝えるために利用されている。
【０００３】
これらの情報はテレビの視聴中のみ受信可能であるため、例えばテレビにビデオを接続しビデオからの映像を視聴している場合には、もしテレビ番組で速報が放送されていたとしてもユーザは速報を見ることができない。
【０００４】
この問題を解決するために緊急警報放送（ＥＷＳ：Emergency Warning System）が放送されている。この緊急警報放送に対応する端末は常に緊急放送用の周波数を監視することで、どんな時でも緊急警報放送をユーザに通知することが可能である。
【０００５】
この緊急警報放送に対応できる機能は、ＢＳ／地上波デジタル放送の受信機には標準搭載されており、例えば特許文献１には、デジタル放送受信装置において効率的に緊急放送を常時監視する方法が開示されている。
【特許文献１】特開２００２−２９０８５８号公報
【発明の開示】
【発明が解決しようとする課題】
【０００６】
しかしながら、このような従来の緊急放送の監視方法にあっては、緊急放送で放送されている情報は地震や津波など重大な災害にかかわる速報のみで、ニュース速報などが放送されることはない。
【０００７】
また、デジタル放送受信機能を持つテレビジョン受信機などでデジタル放送以外のメディア（アナログ放送やビデオなど）を視聴している間は、デジタル放送でニュース速報などの文字スーパーが送信されたとしても、ユーザは文字スーパーを見ることができないといった課題がある。
【０００８】
本発明は、このような課題に鑑みてなされたものであって、ユーザがデジタル放送以外のメディアを視聴中でも、デジタル放送の文字スーパーを監視して、速報情報をユーザに通知することのできるデジタル放送受信装置、文字スーパー表示方法及び文字スーパー表示プログラムを提供することを目的としている。
【課題を解決するための手段】
【０００９】
本発明のデジタル放送受信装置は、デジタル放送の文字スーパーを受信可能なデジタル放送受信装置において、デジタル放送の文字スーパーを監視する文字スーパー監視手段を備えることを特徴としている。
【００１０】
本発明のデジタル放送受信装置は、デジタル放送の文字スーパーを受信可能なデジタル放送受信装置において、デジタル放送の文字スーパーを監視する文字スーパー監視手段と、前記監視により文字スーパーを受信したことをユーザに通知する通知手段とを備えることを特徴としている。
【００１１】
前記文字スーパー監視手段は、デジタル放送以外の入力を選択中にデジタル放送の文字スーパーを監視することがより好ましい。
【００１２】
前記文字スーパー監視手段は、デジタル放送以外の入力が選択されると、自動的にデジタル放送の文字スーパー監視を開始することがより好ましい。
【００１３】
また、デジタル放送の文字スーパーを監視するチャンネルを指定可能であってもよく、デジタル放送の文字スーパーを監視する機能を停止可能であってもよい。
【００１４】
前記通知手段は、受信した前記文字スーパーを視聴中の映像に重畳することにより通知するものであってもよく、受信した文字スーパーをＯＳＤ表示することにより通知するものであってもよい。また、前記通知手段は、受信した文字スーパーを音声により通知するものであってもよい。
【００１５】
デジタル放送以外のアナログ放送、コンポーネント信号の映像、又はコンポジット信号の映像を入力する入力手段をさらに備え、前記文字スーパー監視手段は、デジタル放送以外の入力を選択中においてもデジタル放送の文字スーパーを監視することがより好ましい。
【００１６】
本発明の文字スーパー表示方法は、デジタル放送受信装置の文字スーパー表示方法であって、デジタル放送以外の入力を選択中においてもデジタル放送の文字スーパーを監視するステップと、前記監視により文字スーパーを受信したことをユーザに通知するステップとを有することを特徴としている。
【００１７】
別の観点から、本発明は、デジタル放送受信装置の文字スーパー表示方法であって、デジタル放送以外の入力を選択中においてもデジタル放送の文字スーパーを監視するステップと、前記監視により文字スーパーを受信したことをユーザに通知するステップとをコンピュータに実行させるためのプログラムである。
【発明の効果】
【００１８】
以上、詳述したように、本発明によれば、デジタル放送以外のメディアを視聴中にデジタル放送の文字スーパーの放送が行われた場合でも、ユーザに文字スーパーを通知することができる。
【発明を実施するための最良の形態】
【００１９】
以下、添付図面を参照しながら本発明の好適なデジタル放送受信装置の実施の形態について詳細に説明する。
【００２０】
図１は、本発明の実施の形態のデジタル放送受信装置の基本構成を示すブロック図である。本実施の形態に係るデジタル放送受信装置は、地上波、ＣＳ／ＢＳデジタル衛星放送を受信して表示部（図示略）に出力するデジタル放送受信機に適用した例である。
【００２１】
図１において、デジタル放送受信装置１００は、ＣＰＵなどにより構成され、文字スーパー監視制御を含む装置全体を制御するシステム制御部１、地上波デジタル，ＣＳ／ＢＳデジタル放送信号を受信し復調するデジタルチューナ部２、アナログ放送用の信号を受信し復調するアナログチューナ部３、コンポジット信号やコンポーネント信号などの入力映像・音声（ＡＶ）信号を入力する外部入力部４（入力手段）、ユーザ操作入力を受付ける入力インターフェース（Ｉ／Ｆ）５、ＭＰＥＧ−ＴＳ（Moving Picture Experts Group-Transport Stream）データを復号し映像信号，音声信号，データ信号に分けるＤＥＭＵＸ部６、デジタル放送の文字スーパーを常時監視する文字スーパー監視部７（文字スーパー監視手段）、映像・音声（ＡＶ）データをデコードする映像／音声デコード部８、映像及び音声を切換える入力切換え部９、映像を出力する映像出力部１０（通知手段）、音声ＤＡＣを有し音声を出力する音声出力部１１（通知手段）、及びＯＳＤ（On Screen Display）出力部１２（通知手段）を備えて構成される。
【００２２】
入力Ｉ／Ｆ５は、十字キー，テンキーなどを備えるキー入力部やリモコン装置などの操作入力部（図示略）などが接続され、ユーザからのキー操作情報を受付ける。
【００２３】
文字スーパー監視部７は、デジタル放送以外の入力を選択中でもあってもジタル放送の文字スーパーを監視し、デジタル放送の文字スーパー情報を取得する。
【００２４】
ＯＳＤ出力部１２は、チャンネル、音量、設定情報、時刻などの情報、特に文字スーパー情報の描画などを表示部の画面上に表示する。デジタルテレビジョン受信機等の映像装置では、受信状況、時刻、音量などの情報を画面上に表示することが一般的になっている。ＯＳＤのデータは画像ではなく、ビットマップと呼ばれる形式で保持されており、このビットマップからＹ，Ｃｂ，Ｃｒで表されるＹＵＶ形式の画素値に変換され、その変換された画素が入力画像などの原画像の上に重畳される。
【００２５】
音声出力部１１は、発音装置としてシステム制御部１からの出力信号をデジタル信号処理する音声コーデック（出力手段の一部）を設置する構成でもよい。音声コーデックは、ＰＣＭ（Pulse Code Modulation）音源ＩＣ等により構成され、システム制御部１から受け取った文字スーパー受信信号を音声信号に変換してスピーカから出力する。例えば、文字スーパー受信すると、「文字スーパーを受信しました」などと、あらかじめ録音しておいた実際の人間の音声データを発音する。
【００２６】
以下、上述のように構成されたデジタル放送受信装置１００の文字スーパー監視制御動作を説明する。
【００２７】
図２は、デジタル放送受信装置の文字スーパー監視設定を示すフローチャートであり、図中Ｓはフローの各ステップを示す。本フローは、システム制御部１により実行される。また、システム制御部１の指示に従って文字スーパー監視部７が、デジタル放送の文字スーパーの監視を行う。
【００２８】
まず、ステップＳ１でデジタル放送以外の入力からの視聴を行うか否かを判別する。デジタル放送以外の入力からの視聴を行わない場合は、そのまま本フローを終了する。デジタル放送以外の入力からの視聴を行う場合は、ステップＳ２で文字スーパー監視チャンネル選局済みか否かを判別する。文字スーパー監視チャンネル選局済みの場合は、文字スーパー監視チャンネルの監視が既に行われていると判断して本フローを終了し、既に視聴が行われている場合には何も行わない。
【００２９】
文字スーパー監視チャンネル選局済みでない場合には、ステップＳ３で文字スーパー監視チャンネルの選局を行い、ステップＳ４で文字スーパーの監視を開始して本フローを終了する。
【００３０】
以上の処理によりデジタル放送以外のメディアを視聴中でもデジタル放送の文字スーパーの監視を行えるので、文字スーパーを受信した場合にはユーザに通知することが可能になる。
【００３１】
図３は、文字スーパー監視動作を示すフローチャートである。
まず、ステップＳ１１で文字スーパー取得状況の確認を行う。次いで、ステップＳ１２で文字スーパーが検出されたか否かを判別し、文字スーパーが検出されないときは文字スーパーが取得できていないと判断してそのまま本フローを終了する。文字スーパーが取得できた場合には、ステップＳ１３で文字スーパー取得の旨をユーザに通知して本フローを終了する。ユーザへの文字スーパー取得の通知は、以下に示すように表示部への文字スーパーの表示又は音声合成による音声通知（表示と音声併用や音声のみも含む）がある。
【００３２】
図４は、ユーザへの通知例を示す図である。図４において、１００Ａはデジタル放送受信装置１００の表示部、２０はデジタル放送受信装置１００表示部１００Ａの表示画面である。
【００３３】
図４（ａ）は、実際に取得した文字放送を表示部１００Ａの表示画面２０に表示する例である。表示画面２０上には、取得した文字放送データ３１（○○ＣＨ：文字スーパー受信  ＡＢＣＤＥＦ…）が表示される。ユーザは視聴画面上で、受信した文字スーパーを確認することができる。
【００３４】
図４（ｂ）は、文字スーパーの受信を表示画面２０上にＯＳＤ表示３２により重畳して通知する例である。ユーザは、受信した文字スーパーをＯＳＤ表示３２（○○ＣＨ：文字スーパー受信）により確認することができる。
【００３５】
図４（ｃ）は、文字スーパー受信を音声により通知する例である。図１の音声出力部１１は、システム制御部１から受け取った文字スーパー受信信号を音声信号に変換してスピーカ３３から出力する。例えば、文字スーパー受信すると、「文字スーパーを受信しました」と音声で通知する。
【００３６】
図５は、デジタル放送受信装置の動作例を示す図であり、図５（ａ）は文字スーパーがない場合の例、図５（ｂ）は文字スーパーがある場合の例である。
【００３７】
図５において、デジタル放送受信装置１００には、ビデオ装置５０が接続され、ビデオ装置５０からの映像出力はデジタル放送受信装置１００の表示部１００Ａに表示可能である。図５では、ビデオ装置５０からの映像とデジタル放送の信号とをデジタル放送受信装置１００に入力し、デジタル放送受信装置１００はビデオ装置５０からの入力を選択している場合を示している。
【００３８】
図５（ａ）（ｂ）に示すように、デジタル放送受信装置１００は、ビデオ装置５０からの入力を選択していてもデジタル放送の文字スーパーを常時監視している。
【００３９】
もしデジタル放送で文字スーパーが検出されると（図５（ｂ）参照）、現在出力中の映像（ビデオの映像）にデジタル放送で取得した文字スーパー（ＡＢＣＤＥＦ…）を重畳した映像の出力を行う。
【００４０】
図６は、文字スーパーの監視チャンネルを指定する動作を示すフローチャートである。
まず、ステップＳ２１で文字スーパーの監視チャンネルを指定するか否かを判別する。文字スーパーの監視チャンネルの指定を行う場合には、ステップＳ２２で監視チャンネルの指定を行って本フローを終了する。この監視チャンネルの設定を行った場合には、デジタル放送以外のメディアの視聴中でも指定チャンネルの文字スーパーの監視を行い、文字スーパーが検出されるとユーザに通知する。
【００４１】
一方、上記ステップＳ２１で文字スーパーの監視チャンネルの設定を行わなかった場合には、ステップＳ２３で文字スーパー監視チャンネルの解除を行って本フローを終了する。この場合には、デジタル放送以外のメディアの視聴中には最後に選局したデジタル放送のチャンネルの文字スーパーを監視する制御に戻ることも可能である。
【００４２】
図７は、文字スーパー監視機能の有効／無効設定の動作を示すフローチャートである。
まず、ステップＳ３１で文字スーパーの監視を有効にするか無効にするか否かを判別する。文字スーパーの監視を有効にする場合には、ステップＳ３２で文字スーパーの監視を開始して本フローを終了する。なお、この処理は、図２の文字スーパー監視設定処理と同様である。
【００４３】
上記ステップＳ３１で文字スーパーの監視を無効にする場合には、ステップＳ３３で文字スーパーの監視を停止し、ステップＳ３４でデジタル放送を視聴中か否かを判別する。デジタル放送を視聴中でない場合には、ステップＳ３５でデジタル放送の選局を停止して本フローを終了する。デジタル放送を視聴中のときはそのまま本フローを終了する。
【００４４】
以上の処理を行うことで、ビデオなどの視聴中にデジタル放送の文字スーパーを表示したくない場合には文字スーパーの監視機能を解除することが可能になる。
【００４５】
図８は、入力切替えの動作を示すフローチャートである。
まず、ステップＳ４１で入力切り替え先の選択を行う。入力手段としては、デジタル放送、アナログ放送、コンポーネント入力、コンポジット入力などが考えられる。次いで、ステップＳ４２で選択した入力先の映像及び音声が出力されるように系の切り換えを行う。次いで、ステップＳ４３で文字スーパー監視処理の設定を行って本フローを終了する。この文字スーパー監視処理は、図２の文字スーパー監視設定処理と同様である。
【００４６】
これによりデジタル放送以外のメディアに入力切り替えが行われた場合でもデジタル放送の文字スーパーの監視を行えるので、文字スーパーを受信した場合にはユーザに通知することが可能になる。また、デジタル放送以外の入力が選択されると、自動的にデジタル放送の文字スーパー監視が開始されるのでユーザの設定操作の負担はない。
【００４７】
以上のように、本実施の形態のデジタル放送受信装置１００は、文字スーパー監視制御を含む装置全体を制御するシステム制御部１、デジタル放送の文字スーパーを常時監視する文字スーパー監視部７、受信した文字スーパーを現在視聴中の映像に重畳して出力可能な映像出力部１０、文字スーパーを音声により出力可能な音声出力部１１、文字スーパーをＯＳＤ表示により表示するＯＳＤ出力部１２を備え、文字スーパー監視部７は、デジタル放送以外のメディアを視聴中でも、デジタル放送の文字スーパーを監視し、デジタル放送で文字スーパーが放送された時に、現在視聴中の映像に重畳して又はＯＳＤ表示により、あるいは音声によりユーザに通知するので、アナログ放送やビデオなどデジタル放送以外のメディアを視聴している場合であっても、デジタル放送でニュース速報などの文字スーパーが送信されたときには、ユーザは文字スーパーの内容を知ることができる。
【００４８】
なお、本実施の形態に係るデジタル放送受信装置は、テレビジョン受信機は勿論のこと、テレビジョン受信機以外の電子機器、例えば映像を表示するディスプレイに文字画面を表示可能なパーソナルコンピュータや携帯電話のデジタル放送受信装置に適用してもよい。
【００４９】
また、図４及び図５の文字スーパー通知例は代表例を挙げたものであり、文字スーパー通知はどのような通知形態でも構わない。
【００５０】
また、本実施の形態ではテレビジョン放送受信装置という名称を用いたが、これは説明の便宜上であり、テレビジョン受信機、文字スーパー表示方法等であってもよいことは勿論である。
【００５１】
さらに、上記デジタル放送受信機を構成する各回路部、例えば記憶装置等の種類、数及び接続方法などは前述した実施の形態に限られない。
【００５２】
以上説明したデジタル放送受信機は、このデジタル放送受信機を機能させるためのプログラムでも実現される。このプログラムはコンピュータで読み取り可能な記録媒体に格納されている。本発明では、この記録媒体として、メインメモリそのものがプログラムメディアであってもよいし、また外部記憶装置としてプログラム読み取り装置が設けられ、そこに記録媒体を挿入することで読み取り可能なプログラムメディアであってもよい。
【図面の簡単な説明】
【００５３】
【図１】本発明の実施の形態のデジタル放送受信装置の基本構成を示すブロック図である。
【図２】本実施の形態のデジタル放送受信装置の文字スーパー監視設定を示すフローチャートである。
【図３】本実施の形態のデジタル放送受信装置の文字スーパー監視動作を示すフローチャートである。
【図４】本実施の形態のデジタル放送受信装置のユーザへの通知例を示す図である。
【図５】本実施の形態のデジタル放送受信装置のデジタル放送受信装置の動作例を示す図である。
【図６】本実施の形態のデジタル放送受信装置の文字スーパーの監視チャンネルを指定する動作を示すフローチャートである。
【図７】本実施の形態のデジタル放送受信装置の文字スーパー監視機能の有効／無効設定の動作を示すフローチャートである。
【図８】本実施の形態のデジタル放送受信装置の入力切替えの動作を示すフローチャートである。
【符号の説明】
【００５４】
１  システム制御部
２  デジタルチューナ部
３  アナログチューナ部
４  外部入力部（入力手段）
５  入力インターフェース（Ｉ／Ｆ）
６  ＤＥＭＵＸ部
７  文字スーパー監視部（文字スーパー監視手段）
８  映像／音声デコード部
９  入力切換え部
１０  映像出力部（通知手段）
１１  音声出力部（通知手段）
１２  ＯＳＤ出力部
２０  表示画面
５０  ビデオ装置
１００  デジタル放送受信装置
１００Ａ  デジタル放送受信装置の表示部
【図１】
2005341200.tif 000003
【図２】
2005341200.tif 000004
【図３】
2005341200.tif 000005
【図４】
2005341200.tif 000006
【図５】
2005341200.tif 000007
【図６】
2005341200.tif 000008
【図７】
2005341200.tif 000009
【図８】
2005341200.tif 000010